(57)【要約】      （修正有）【課題】ペットの心理状態及び生理状態から各ペットが有する固有の特徴を判別し、各ペットに最適な処方を判断することができるペット診断システムを提供する。【解決手段】ペット診断システム１００は、種別情報を入力する入力手段１０と、ペットに対応する種別特徴データを抽出する種別特徴抽出手段３２と、ペットの状態を検出する検出手段２０と、ペットの心理状態を識別する心理状態識別手段３３と、ペットの生理状態を識別する生理状態識別手段３４と、ペットが有する固有の特徴を判別する個別特徴判別手段３５と、種別特徴抽出手段３２から出力される種別特徴データ及び個別特徴判別手段３５から出力される個別特徴データに基づき、ペットに対応する処方を判断し、処方格納手段３６からペットに対応する処方データを抽出する処方判別手段３７と、を備えている。【選択図】図１
2008131862.tif 000002
【特許請求の範囲】
【請求項１】
ペットに関する情報のうち、少なくともペットの種類又は品種を示す種別情報を入力する入力手段と、
動物の各種別で共通する特徴をデータとしてそれぞれ格納した種別特徴格納手段と、
前記入力手段から出力される種別情報データに基づき、前記種別特徴格納手段から前記ペットに対応する種別特徴データを抽出する種別特徴抽出手段と、
前記ペットの状態を検出する検出手段と、
前記検出手段から出力される状態データ及び前記種別特徴抽出手段から出力される種別特徴データに基づき、前記ペットの心理状態を識別する心理状態識別手段と、
前記検出手段から出力される状態データ及び前記種別特徴抽出手段から出力される種別特徴データに基づき、前記ペットの生理状態を識別する生理状態識別手段と、
前記心理状態識別手段から出力される心理状態識別データ及び前記生理状態識別手段から出力される生理状態識別データに基づき、前記ペットが有する固有の特徴を判別する個別特徴判別手段と、
ペットの状態に応じた扱いを定めた処方をデータとして格納した処方格納手段と、
前記種別特徴抽出手段から出力される種別特徴データ及び前記個別特徴判別手段から出力される個別特徴データに基づき、前記ペットに対応する処方を判断し、前記処方格納手段から前記ペットに対応する処方データを抽出する処方判別手段と、
を備えたことを特徴とするペット診断システム。
【請求項２】
前記請求項１に記載のペット診断システムにおいて、
前記心理状態識別手段及び生理状態識別手段は、前記入力手段から出力されるデータ、前記検出手段から出力される状態データ及び前記種別特徴抽出手段から出力される種別特徴データに基づき、前記ペットの心理状態及び生理状態をそれぞれ識別することを特徴とするペット診断システム。
【請求項３】
前記請求項１又は２に記載のペット診断システムにおいて、
前記個別特徴判別手段から出力される個別特徴データを記憶する個別特徴記憶手段をさらに備えており、
前記処方判別手段は、前記種別特徴抽出手段から出力される種別特徴データ及び前記個別特徴記憶手段から出力される個別特徴履歴データに基づき、前記ペットに対応する処方を判断し、前記処方格納手段から前記ペットに対応する処方データを抽出することを特徴とするペット診断システム。
【請求項４】
前記請求項１乃至３のいずれかに記載のペット診断システムにおいて、
前記検出手段は、ペットに接触して当該ペットの状態を検出する手段、ペットを撮像して当該ペットの状態を検出する手段、ペットが滞在する空間に設置して当該ペットの状態を検出する手段、ペットから採取した採取物から当該ペットの状態を検出する手段、又はペットが摂取した摂取量若しくは排出した排出量から当該ペットの状態を検出する手段であることを特徴とするペット診断システム。
【請求項５】
前記請求項４に記載のペット診断システムにおいて、
前記ペットに接触する検出手段は、ペットの首環、足環若しくは装身具に内蔵、又はペットの体内に埋設しており、当該ペットの体温、血圧値、脈拍数、心拍数、呼吸数、筋電位、心電位、脳波、歩数又は位置を検出することを特徴とするペット診断システム。
【請求項６】
前記請求項１乃至５のいずれかに記載のペット診断システムにおいて、
前記処方判別手段によって抽出された処方データに基づき、前記ペットに対する処方を報知する報知手段を備えており、
前記報知手段は、ペット診断システムの管理者の端末装置、前記処方に基づきサービスを提供するサービス提供事業者の端末装置、又は前記ペットの飼い主の端末装置に内蔵されていることを特徴とするペット診断システム。
【請求項７】
前記請求項１乃至６のいずれかに記載のペット診断システムにおいて、
前記処方判別手段によって抽出された処方データに基づき、前記ペットが滞在する空間の環境を変化させる環境調節手段を備えていることを特徴とするペット診断システム。
【発明の詳細な説明】
【技術分野】
【０００１】
この発明は、ペットの状態に応じた処方を判断するペット診断システムに関し、特に、ペットの心理状態及び生理状態から各ペットが有する固有の特徴を判別し、各ペットに最適な処方を判断するペット診断システムに関するものである。
【背景技術】
【０００２】
従来のペット健康管理システムにおいては、ペット状態情報取得装置及びペット健康判断装置を備え、ペット健康判断装置は、ペット状態情報に含まれる情報を利用してペットが健康な状態にあるか否かを判断する（例えば、特許文献１参照）。
【特許文献１】特開２００６−４２６７０号公報
【発明の開示】
【発明が解決しようとする課題】
【０００３】
従来のペット健康管理システムは、ミニ知識データベースに、飼われているペット固有の特性が加味された情報を予め登録しておく必要があり、ペット固有の特性をこのペット健康管理システムによって検出するものではなかった。このため、このペット健康管理システムを利用するにあたり、ペットの飼い主がペット固有の特性を把握しておく必要があるという問題点があった。
【０００４】
特に、ペット固有の特性を検出するには、様々な視点からペットを観察する必要があり、一般家庭において信頼性の高い検出結果が得られるとは考え難く、飼い主が把握している曖昧なペット固有の特性に基づき、ペットの健康状態を判断することでは、最も適切な判断がなされない恐れがあるという問題点があった。
【０００５】
この発明は、上述のような課題を解決するためになされたもので、ペットの心理状態及び生理状態から各ペットが有する固有の特徴を判別し、各ペットに最適な処方を判断することができるペット診断システムを提供することを目的とする。
【課題を解決するための手段】
【０００６】
この発明に係るペット診断システムにおいては、ペットに関する情報のうち、少なくともペットの種類又は品種を示す種別情報を入力する入力手段と、動物の各種別で共通する特徴をデータとしてそれぞれ格納した種別特徴格納手段と、前記入力手段から出力される種別情報データに基づき、前記種別特徴格納手段から前記ペットに対応する種別特徴データを抽出する種別特徴抽出手段と、前記ペットの状態を検出する検出手段と、前記検出手段から出力される状態データ及び前記種別特徴抽出手段から出力される種別特徴データに基づき、前記ペットの心理状態を識別する心理状態識別手段と、前記検出手段から出力される状態データ及び前記種別特徴抽出手段から出力される種別特徴データに基づき、前記ペットの生理状態を識別する生理状態識別手段と、前記心理状態識別手段から出力される心理状態識別データ及び前記生理状態識別手段から出力される生理状態識別データに基づき、前記ペットが有する固有の特徴を判別する個別特徴判別手段と、ペットの状態に応じた扱いを定めた処方をデータとして格納した処方格納手段と、前記種別特徴抽出手段から出力される種別特徴データ及び前記個別特徴判別手段から出力される個別特徴データに基づき、前記ペットに対応する処方を判断し、前記処方格納手段から前記ペットに対応する処方データを抽出する処方判別手段と、を備えたものである。
【０００７】
また、この発明に係るペット診断システムにおいては、必要に応じて、前記心理状態識別手段及び生理状態識別手段は、前記入力手段から出力されるデータ、前記検出手段から出力される状態データ及び前記種別特徴抽出手段から出力される種別特徴データに基づき、前記ペットの心理状態及び生理状態をそれぞれ識別するものである。
【０００８】
また、この発明に係るペット診断システムにおいては、必要に応じて、前記個別特徴判別手段から出力される個別特徴データを記憶する個別特徴記憶手段をさらに備えており、前記処方判別手段は、前記種別特徴抽出手段から出力される種別特徴データ及び前記個別特徴記憶手段から出力される個別特徴履歴データに基づき、前記ペットに対応する処方を判断し、前記処方格納手段から前記ペットに対応する処方データを抽出するものである。
【０００９】
また、この発明に係るペット診断システムにおいては、必要に応じて、前記検出手段は、ペットに接触して当該ペットの状態を検出する手段、ペットを撮像して当該ペットの状態を検出する手段、ペットが滞在する空間に設置して当該ペットの状態を検出する手段、ペットから採取した採取物から当該ペットの状態を検出する手段、又はペットが摂取した摂取量若しくは排出した排出量から当該ペットの状態を検出する手段である。
【００１０】
また、この発明に係るペット診断システムにおいては、必要に応じて、前記ペットに接触する検出手段は、ペットの首環、足環若しくは装身具に内蔵、又はペットの体内に埋設しており、当該ペットの体温、血圧値、脈拍数、心拍数、呼吸数、筋電位、心電位、脳波、歩数又は位置を検出するものである。
【００１１】
また、この発明に係るペット診断システムにおいては、必要に応じて、前記処方判別手段によって抽出された処方データに基づき、前記ペットに対する処方を報知する報知手段を備えており、前記報知手段は、ペット診断システムの管理者の端末装置、前記処方に基づきサービスを提供するサービス提供事業者の端末装置、又は前記ペットの飼い主の端末装置に内蔵されているものである。
【００１２】
また、この発明に係るペット診断システムにおいては、必要に応じて、前記処方判別手段によって抽出された処方データに基づき、前記ペットが滞在する空間の環境を変化させる環境調節手段を備えているものである。
【発明の効果】
【００１３】
この発明に係るペット診断システムにおいては、ペットに関する情報のうち、少なくともペットの種類又は品種を示す種別情報を入力する入力手段と、動物の各種別で共通する特徴をデータとしてそれぞれ格納した種別特徴格納手段と、前記入力手段から出力される種別情報データに基づき、前記種別特徴格納手段から前記ペットに対応する種別特徴データを抽出する種別特徴抽出手段と、前記ペットの状態を検出する検出手段と、前記検出手段から出力される状態データ及び前記種別特徴抽出手段から出力される種別特徴データに基づき、前記ペットの心理状態を識別する心理状態識別手段と、前記検出手段から出力される状態データ及び前記種別特徴抽出手段から出力される種別特徴データに基づき、前記ペットの生理状態を識別する生理状態識別手段と、前記心理状態識別手段から出力される心理状態識別データ及び前記生理状態識別手段から出力される生理状態識別データに基づき、前記ペットが有する固有の特徴を判別する個別特徴判別手段と、ペットの状態に応じた扱いを定めた処方をデータとして格納した処方格納手段と、前記種別特徴抽出手段から出力される種別特徴データ及び前記個別特徴判別手段から出力される個別特徴データに基づき、前記ペットに対応する処方を判断し、前記処方格納手段から前記ペットに対応する処方データを抽出する処方判別手段と、を備えたことにより、ペットの種類又は品種で有する共通の特徴である種別特徴と、ペットの心理状態及び生理状態からペットが有する固有の特徴を判別し得られたペットの個別特徴とにより、ペットの状態に応じた最適な処方を判断することができる。
【００１４】
また、この発明に係るペット診断システムにおいては、必要に応じて、前記心理状態識別手段及び生理状態識別手段は、前記入力手段から出力されるデータ、前記検出手段から出力される状態データ及び前記種別特徴抽出手段から出力される種別特徴データに基づき、前記ペットの心理状態及び生理状態をそれぞれ識別することにより、入力手段から出力されるデータを判断要素としてさらに加えることで、さらに精度の高い個別特徴を判別することができる。
【００１５】
また、この発明に係るペット診断システムにおいては、必要に応じて、前記個別特徴判別手段から出力される個別特徴データを記憶する個別特徴記憶手段をさらに備えており、前記処方判別手段は、前記種別特徴抽出手段から出力される種別特徴データ及び前記個別特徴記憶手段から出力される個別特徴履歴データに基づき、前記ペットに対応する処方を判断し、前記処方格納手段から前記ペットに対応する処方データを抽出することにより、個別特徴データを記憶し蓄積することで、さらに精度の高い処方を判別することができる。
【００１６】
また、この発明に係るペット診断システムにおいては、必要に応じて、前記検出手段は、ペットに接触して当該ペットの状態を検出する手段、ペットを撮像して当該ペットの状態を検出する手段、ペットが滞在する空間に設置して当該ペットの状態を検出する手段、ペットから採取した採取物から当該ペットの状態を検出する手段、又はペットが摂取した摂取量若しくは排出した排出量から当該ペットの状態を検出する手段であることにより、検出手段を特定している。
【００１７】
また、この発明に係るペット診断システムにおいては、必要に応じて、前記ペットに接触する検出手段は、ペットの首環、足環若しくは装身具に内蔵、又はペットの体内に埋設しており、当該ペットの体温、血圧値、脈拍数、心拍数、呼吸数、筋電位、心電位、脳波、歩数又は位置を検出することにより、ペットの状態をリアルタイムに検出することができる。
【００１８】
また、この発明に係るペット診断システムにおいては、必要に応じて、前記処方判別手段によって抽出された処方データに基づき、前記ペットに対する処方を報知する報知手段を備えており、前記報知手段は、ペット診断システムの管理者の端末装置、前記処方に基づきサービスを提供するサービス提供事業者の端末装置、又は前記ペットの飼い主の端末装置に内蔵されていることにより、ペットの状態に応じた最適な処方を端末装置によって確認することができる。
【００１９】
また、この発明に係るペット診断システムにおいては、必要に応じて、前記処方判別手段によって抽出された処方データに基づき、前記ペットが滞在する空間の環境を変化させる環境調節手段を備えていることにより、ペットが滞在する空間をペットにとって快適な環境とすることができる。
【発明を実施するための最良の形態】
【００２０】
（本発明の第１の実施形態）
図１はこの発明を実施するための第１の実施形態におけるペット診断システムの機能ブロック図、図２は図１に示すペット診断システムにおける種別特徴格納手段に格納された種別特徴データの一例を示した説明図、図３は図１に示すペット診断システムにおける処方格納手段に格納された処方データの一例を示した説明図、図４は図１に示すペット診断システムを導入したペット施設の概略構成図、図５はこの発明を実施するための第１の実施形態における他のペット診断システムの機能ブロック図である。
【００２１】
図１乃至図５において、入力手段１０は、ペットに関する情報のうち、少なくともペットの種類又は品種を示す種別情報を入力するための手段であり、例えば、キーボード又はマウスなどが挙げられる。なお、入力手段１０が、キーボードであれば、診断対象となるペットの種類又は品種を示す文字や記号を打ち込み、マウスであれば、ディスプレイに表示される、診断対象となるペットの種類又は品種を示す文字や記号にカーソルを合わせ指定する。
【００２２】
ここで、ペットとは、犬や猫はもとより、哺乳類、鳥類又は爬虫類などの飼い主の身近においてかわいがることを目的に飼う動物をいう。また、ペットに関する情報とは、ペットについて飼い主が把握している情報、又はペットの状態を測定若しくは観察して得られる情報であり、例えば、ペットの種類、品種、性別、体長、体高、体重、年齢、生年月日、原産地、生息地、出生地、病歴、既往歴、家族歴、体温、血圧値、脈拍数、心拍数、呼吸数、脳波、心電位、筋電位、体脂肪率、血液成分、排泄物成分、唾液成分、発汗成分、排気成分、臭い、食事量、排泄量、水分補給量、発汗量、排気量、歩数、運動量、行動範囲、位置、動作、性格、習性、睡眠時間、食事時間、水分補給時間、就寝時間又は起床時間などが挙げられる。
【００２３】
検出手段２０は、ペットに接触してこのペットの状態（例えば、体長、体高、体重、体温、血圧値、脈拍数、心拍数、呼吸数、脳波、心電位、筋電位、体脂肪率若しくは歩数など）を検出する手段、ペットを撮像してこのペットの状態（例えば、動作、位置、運動量若しくは行動範囲など）を検出する手段、ペットが滞在する空間に設置してこのペットの状態（例えば、位置、行動範囲など）を検出する手段、ペットから採取した採取物からこのペットの状態（例えば、血液成分、排泄物成分、唾液成分、発汗成分、排気成分若しくは臭いなど）を検出する手段、又はペットが摂取した摂取量（例えば、食事量若しくは水分補給量など）若しくは排出した排出量（例えば、排泄量、発汗量若しくは排気量など）からこのペットの状態を検出する手段である。
【００２４】
種別特徴格納手段３１は、動物の各種別で共通する特徴をデータとして格納しており、例えば、図２に示すように、動物の種類、品種及び特徴を紐付けたツリー構造として、格納している。
【００２５】
種別特徴抽出手段３２は、入力手段１０から出力される種別情報データに基づき、種別特徴格納手段３２からペットに対応する種別特徴データを抽出する。なお、種別特徴格納手段３１に格納されたデータ構造が、図２に示すデータ構造であった場合には、入力手段１０によって入力したペットの品種に対応する特徴を種別特徴データとして抽出する。
【００２６】
心理状態識別手段３３は、検出手段２０から出力される状態データ及び種別特徴抽出手段３２から出力される種別特徴データに基づき、ペットの心理状態を識別する。なお、検出手段２０から出力される状態データは、例えば、ペットの体温、血圧値、脈拍数、心拍数、呼吸数、脳波、心電位、筋電位又は動作などを示すデータであり、種別特徴データのうちの正常な状態データと比較して差異が生じているのであれば、ペットの心理状態に何らかの異常が発生しており、差異が生じている状態項目及び程度によって心理状態を識別する。特に、ペットの脳波を測定することで、他の周波数成分に比べてアルファ波の占める割合が高いのであれば、安静時の脳波であり、ペットがリラックスした心理状態であると識別する。
【００２７】
生理状態識別手段３４は、検出手段２０から出力される状態データ及び種別特徴抽出手段３２から出力される種別特徴データに基づき、ペットの生理状態を識別する。なお、検出手段２０から出力される状態データは、例えば、ペットの体長、体高、体重、体温、血圧値、脈拍数、心拍数、呼吸数、脳波、心電位、筋電位、体脂肪率、血液成分、排泄物成分、唾液成分、発汗成分、排気成分、臭い、食事量、排泄量、水分補給量、発汗量、排気量、歩数、運動量、行動範囲又は動作などを示すデータであり、種別特徴データのうちの正常な状態データと比較して差異が生じているのであれば、ペットの生理状態に何らかの異常が発生しており、差異が生じている状態項目及び程度によって生理状態を識別する。特に、血液成分、排泄物成分、唾液成分、発汗成分又は排気成分などの成分分析を行なうことで、一般家庭において発見が困難である潜在的な病気を早期に検出するためのペットの生理状態を識別する。
【００２８】
個別特徴判別手段３５は、心理状態識別手段３３から出力される心理状態識別データ及び生理状態識別手段３４から出力される生理状態識別データに基づき、ペットが有する固有の特徴を判別する。
【００２９】
処方格納手段３６は、ペットの状態に応じた扱いを定めた処方をデータとして格納している。例えば、図３に示すように、動物の種類、状態及び処方を紐付けたツリー構造として、格納している。
【００３０】
処方判別手段３７は、種別特徴抽出手段３２から出力される種別特徴データ及び個別特徴判別手段３５から出力される個別特徴データに基づき、ペットに対応する処方を判断し、処方格納手段３６からペットに対応する処方データを抽出する。なお、処方格納手段３６に格納されたデータ構造が、図３に示すデータ構造であった場合には、ペットの状態に対応する状態別の処方を処方データとして抽出する。
【００３１】
報知手段４０は、処方判別手段３７によって抽出された処方データに基づき、ペットに対する処方を報知する。なお、報知手段４０は、人間の五感（視覚、聴覚、味覚、嗅覚、触覚）を利用して、ペット診断システムの管理者又は利用者に処方を知らせる手段であり、例えば、ディスプレイ（表示機能）、プリンター（印刷機能）、又はスピーカー（音声機能）などである。
【００３２】
環境調節手段５０は、処方判別手段３７によって抽出された処方データに基づき、ペットが滞在する空間の環境を変化させる。なお、環境調節手段５０は、ペットが滞在する空間が室内であれば、室内の空気の清浄度、温度、湿度、圧力、照明度、色彩、音響、におい、材質（壁、床、天井）、風通し又は日照度などを調節する手段であり、例えば、空気清浄機、エアコン、暖房装置、冷房装置、加湿器、除湿器、空気圧縮機、照明装置、スピーカー、香炉、噴霧機、拡散機、ミスト機、窓、戸、シャッター又はカーテンなどである。すなわち、これらの環境調節手段５０を適宜選択し設置した、空調設備、照明設備又は音響設備に、ペット診断システムが連動することで、ペットが滞在する室内をペットにとって快適な環境とすることができる。
【００３３】
つぎに、図１に示すペット診断システム１００を、図４に示すように、ホテル、旅館、マンション、レストラン、食堂、体育館、運動場、広場若しくは公園などのペットと過ごせる（同伴若しくは宿泊できる）施設若しくはペットを預かる施設、又は、これらの施設に、病院、美容院、ショップ、葬儀場、霊園若しくは駐車場などのペット産業に付帯するショップや施設を隣接した複合施設（以下、ペット施設２００と称す）に導入した場合について説明する。
【００３４】
図４において、ペット３００に接触する検出手段２０は、ペット３００の体温、血圧値、脈拍数、心拍数、呼吸数、筋電位、心電位、脳波、歩数又は位置を、リアルタイムに検出するためのセンサであり、ペット３００に装着した首環２１ａに内蔵している。なお、ペット３００に接触する検出手段２０は、足環若しくは装身具に内蔵、又はペットの体内に埋設してもよいが、ペット３００に違和感を与えない検出手段２０を用いることが好ましい。また、ペット３００に装着した首環２１ａは図示しない送信機を内蔵しており、センサで検出したデータをペット施設２００に配置した受信機２１ｂに送信する。
【００３５】
また、ペット３００を撮像する検出手段２０は、ペット施設２００に配置した撮像装置２２などであって、ペット３００の動画像を撮像することで、ペットの動作、運動量、位置、行動範囲、習性又は性格を検出する。
【００３６】
受信機２１ｂで受信したペット３００の状態データ、撮像装置２２で撮像したペット３００の状態データを、インターネット網６０を介して管理サーバー３０に送信される。なお、図１において、管理サーバー３０は、種別特徴格納手段３１、種別特徴抽出手段３２、心理状態識別手段３３、生理状態識別手段３４、個別特徴判別手段３５、処方格納手段３６及び処方判別手段３７に相当し、入力手段１０は、管理者端末装置７０の図示しないキーボード又はマウスに相当する。
【００３７】
つぎに、飼い主がペット施設２００を利用する場合の一例を説明する。
まず、飼い主がペット施設２００の受付でペット３００を預ける。
ペット施設側は、ペットの種類及び品種を確認したうえで、センサ及び送信機を内蔵した首環２１ａをペット３００に装着し、飼い主にペット３００を返還する。
【００３８】
ペット施設側が、管理者端末装置７０のディスプレイに表示されたペットの種類及び品種項目のうち、このペット３００に対応するペットの種類及び品種を、入力手段１０であるマウスによって種類及び品種を選択する。
【００３９】
飼い主は、ペット３００と共に、ペット施設２００を利用することで、ペット３００の状態データがリアルタイムで管理サーバー３０に送られることとなる。
飼い主は、ペット施設２００の利用を終える場合には、ペット施設２００の受付にペットを預ける。
【００４０】
ペット施設側は、管理サーバー３０によって、ペット３００の種別情報データ及び状態データに基づき演算されたペット３００に対応する処方を、報知手段４０である管理者端末装置７０のディスプレイに表示させるとともに、処方をプリンターで印刷する。また、ペット施設側は、ペット３００から首環２１ａを外し、飼い主にペット３００を返還するとともに、ペット３００に対応する処方が印刷された用紙を用いて、ペット３００に対する処方を提案する。なお、飼い主の端末装置８０に報知手段４０を内蔵、すなわち、飼い主が所有する携帯電話やパソコンなどの端末装置８０に処方データを送信し、端末装置８０のディスプレイに処方を表示できるようにしてもよい。
【００４１】
また、ペット施設２００が、獣医師、アロセラピスト（芳香療法師）、フィトテラピスト（植物療法士）、ペットグルーミングスペシャリスト（トリマー、グルーマー）、ペットシッター若しくはブリーダーなどのペットに対する専門家を配する、動物病院、美容院、ペットホテル、犬の保育園、ペットショップ、ペットフード業者、ペット専用タクシー業者、ペット保険業者又はペット葬儀業者などのペットに対してサービスを提供するサービス提供事業者と業務提携した複合施設であるならば、ペット３００に対する処方を、この複合施設において迅速に対処することができる。この場合に、サービス提供事業者の端末装置９０に報知手段４０を内蔵、すなわち、サービス提供事業者の端末装置９０に処方データを送信し、端末装置９０のディスプレイに処方を表示できるようにしてもよい。
【００４２】
なお、この第１の実施形態に係るペット診断システム１００を、二匹以上のペット３００が共用する場所（例えば、ホテルの共用スペース、レストラン又は運動場など）に導入した場合には、特定のペットに対応させて環境調節手段５０によってペット施設２００の環境を変化させることは、他のペット（特に、他の種類の動物）に対する影響を考慮する必要があるために、ペット間において同調できる環境調節手段５０や他のペットが影響を受けない環境調節手段５０を除き、環境調節手段５０を使用しないことが好ましい。
【００４３】
しかしながら、一匹のペット３００が専有する場所（例えば、ホテルの客室、マンションの住戸部分など）に、この第１の実施形態に係るペット診断システム１００を導入した場合には、特定のペットに対応させてペット施設２００の環境を変化させることができる、環境調節手段５０を使用することができる。なお、ホテルの客室やマンションの住戸部分に、ペット診断システム１００を導入する場合には、宿泊者及び居住者のプライバシーに配慮して、検出手段２０に撮像装置２２を使用しないことが好ましい。
【００４４】
なお、この第１の実施形態においては、図１に示すように、検出手段２０から得られるペットの状態データを、直接、心理状態識別手段３３及び生理状態識別手段３４に出力する構成としているが、図５に示すように、検出手段２０によって測定し得られた値を、入力手段１０を用いて入力し、心理状態識別手段３３及び生理状態識別手段３４に入力データをそれぞれ出力してもよい。
【００４５】
特に、リアルタイムにペットの状態を測定する必要がない値又はリアルタイムにペットの状態を測定することができない値（例えば、体長、体高、体重、体脂肪率、血液成分、排泄物成分、唾液成分、発汗成分、排気成分、臭い、食事量、排泄量、水分補給量、発汗量、排気量、睡眠時間、食事時間、水分補給時間、就寝時間又は起床時間など）を検出する検出手段２０としては、測定機器（例えば、メジャー、体重計、計量器又は分析装置など）によって測定し得られた値を、入力手段１０を用いて入力することが好ましい。
【００４６】
これにより、ペット診断システム１００において検出手段２０をオンライン接続する必要がないうえに、検出手段２０で検出したペット３００の状態を一時的に入力手段１０によって入力し、入力手段から出力されるデータを判断要素として心理状態識別手段３３及び生理状態識別手段３４にさらに加えることで、さらに精度の高い個別特徴を判別することができる。
【００４７】
なお、図５に示すペット診断システム１００を、図４に示したペット施設２００に導入した場合における、飼い主がペット施設２００を利用する場合においては、飼い主がペット３００を受付に預ける際に、ペット施設利用前、ペット施設利用中又はペット施設利用後のペット３００の状態を、測定機器によって測定し、測定結果を入力手段１０に入力することが考えられる。
【００４８】
（本発明の第２の実施形態）
図６はこの発明を実施するための第２の実施形態におけるペット診断システムの機能ブロック図である。図６において、図１乃至図５と同じ符号は、同一又は相当部分を示し、その説明を省略する。
【００４９】
この第２の実施形態においては、個別特徴判別手段から出力される個別特徴データを記憶する個別特徴記憶手段をさらに備えているところのみが第１の実施形態と異なるところであり、後述する個別特徴記憶手段による作用効果以外は、第１の実施形態と同様の作用効果を奏する。
【００５０】
個別特徴記憶手段３８は、個別特徴判別手段３５から出力される個別特徴データを記憶し蓄積するための手段である。すなわち、ペット施設２００の利用時間によっては、判別した個別特徴データの情報量が少なく、最適な処方（特に、慢性疾患など）が判断されない恐れがある。そこで、個別特徴記憶手段３８によって、個別特徴データを記憶し蓄積しておくことで、慢性疾患にも対応した最適な処方を判断することができる個別特徴データの情報量（個別特徴履歴データ）を得ることができる。
【００５１】
また、個別特徴記憶手段３８は、食事量、運動量又は環境などの変化に対する、ペットの体重、体温、血圧値又は体脂肪率などの変化をそれぞれ記憶し、各履歴情報の相互間における相関特性を判別することで、ペットに最適な食事量、運動量又は環境を与える処方を判別することができる。
【００５２】
なお、処方判別手段３７は、種別特徴抽出手段３２から出力される種別特徴データ及び個別特徴記憶手段３８から出力される個別特徴履歴データに基づき、ペットに対応する処方を判断し、処方格納手段３６からペットに対応する処方データを抽出する。
【００５３】
また、ペット施設２００の１回の利用時間が少ない場合であっても、何度もペット施設２００を利用することで、個別特徴データを蓄積できるのであるが、ペット施設２００の利用間隔が開くと、ペット３００の個別特徴が変化する恐れがあるので、ペット施設２００の利用頻度を高めることが正確な個別特徴履歴データを得るうえで好ましい。
【図面の簡単な説明】
【００５４】
【図１】この発明を実施するための第１の実施形態におけるペット診断システムの機能ブロック図である。
【図２】図１に示すペット診断システムにおける種別特徴格納手段に格納された種別特徴データの一例を示した説明図である。
【図３】図１に示すペット診断システムにおける処方格納手段に格納された処方データの一例を示した説明図である。
【図４】図１に示すペット診断システムを導入したペット施設の概略構成図である。
【図５】この発明を実施するための第１の実施形態における他のペット診断システムの機能ブロック図である。
【図６】この発明を実施するための第２の実施形態におけるペット診断システムの機能ブロック図である。
【符号の説明】
【００５５】
１０  入力手段
２０  検出手段
２１ａ  首環
２１ｂ  受信機
２２  撮像装置
３０  管理サーバー
３１  種別特徴格納手段
３２  種別特徴抽出手段
３３  心理状態識別手段
３４  生理状態識別手段
３５  個別特徴判別手段
３６  処方格納手段
３７  処方判別手段
３８  個別特徴記憶手段
４０  報知手段
５０  環境調節手段
６０  インターネット網
７０  管理者端末装置
８０  飼い主端末装置
９０  サービス提供事業者端末装置
１００    ペット管理システム
２００    ペット施設
３００    ペット
【図１】
2008131862.tif 000003
【図２】
2008131862.tif 000004
【図３】
2008131862.tif 000005
【図４】
2008131862.tif 000006
【図５】
2008131862.tif 000007
【図６】
2008131862.tif 000008